(57)【要約】      （修正有）【課題】空気中に浮遊する病原体が蓋体の開口側に付着しにくいことで、衛生面に優れた飲料容器を提供する。【解決手段】飲料容器１は、飲料Ｓが内部に収容される容器本体２と、容器本体２に着脱自在に取り付けられる蓋体３とを有し、蓋体３の筒状壁１１の開口側１３が容器本体２の筒状壁５の内側に挿入された状態で、蓋体３が容器本体２に取り付けられる。【選択図】図２
0003230771.tif 000002
【実用新案登録請求の範囲】
【請求項１】
飲料が内部に収容される容器本体と、
前記容器本体に着脱自在に取り付けられる蓋体とを有し、
前記蓋体の筒状壁の開口側が前記容器本体の筒状壁の内側に挿入された状態で、前記蓋体が前記容器本体に取り付けられる飲料容器。
【請求項２】
前記容器本体は、底壁と、前記底壁から上方に延びる第一筒状壁と、当該第一筒状壁の上端から上方に延びる第二筒状壁とを備え、前記第二筒状壁の内径は、前記第一筒状壁の内径よりも大きく、
前記蓋体の筒状壁は、前記蓋体の頂壁から下方に延びる第三筒状壁と、前記第三筒状壁の下端から下方に延びる第四筒状壁とを備え、前記第三筒状壁の外径は、前記第二筒状壁の内径よりも大きく、前記第四筒状壁の外径は、前記第一筒状壁の内径と前記第二筒状壁の内径との間の値とされ、前記第四筒状壁によって前記蓋体の筒状壁の開口側が構成され、
前記第四筒状壁が前記第二筒状壁の内側に挿入された状態で、前記蓋体が前記容器本体に取り付けられる請求項１に記載の飲料容器。
【請求項３】
前記第四筒状壁が前記第二筒状壁の内側に挿入された状態で、前記第二筒状壁の内周面に形成された前記第一螺旋と、前記第四筒状壁の外周面に形成された前記第二螺旋とを螺合させることで、前記蓋体が前記容器本体に取り付けられる請求項２に記載の飲料容器。
【請求項４】
前記第二螺旋は、前記蓋体の開口端から３０ｍｍ以上離れた位置に形成される請求項３に記載の飲料容器。
【請求項５】
前記第二筒状壁よりも前記容器本体の径内側に突出する前記第一筒状壁の上端面には、第一パッキンが接合され、  
前記第四筒状壁の下端面には、第二パッキンが接合され、
前記第一パッキンは、前記第一筒状壁の上端面に沿う環状に形成され、前記第二パッキンは、前記第四筒状壁の下端面に沿う環状に形成されており、
前記蓋体が前記容器本体に取り付けられた状態で、前記第一パッキンと前記第二パッキンとが密着する請求項２乃至４のいずれかに記載の飲料容器。
【請求項６】
前記容器本体が備える壁は、外側の壁材と内側の壁材との間が真空とされた二重壁構造を有する請求項２乃至５のいずれかに記載の飲料容器。
【請求項７】
前記容器本体は、飲料が内部に収容される筒状の収容部と、前記収容部の上側に着脱自在に取り付けられる第五筒状壁と、前記収容部の上端部に形成される口部に着脱自在に取り付けられる内蓋とを備え、
前記収容部の上端部が、前記第五筒状壁の下側の開口から前記第五筒状壁の内側に挿入された状態で、前記第五筒状壁が前記収容部に取り付けられ、
前記蓋体の筒状壁の開口側が、前記第五筒状壁の上側の開口から前記第五筒状壁の内側に挿入された状態で、前記蓋体が前記第五筒状壁に取り付けられる請求項１に記載の飲料容器。
【請求項８】
前記収容部は、底壁と、前記底壁から上方に延びる第六筒状壁と、前記第六筒状壁の上端から上方に延びる第七筒状壁と、前記第七筒状壁の上端から内側に延びる環状の肩部と、前記肩部の内端から上方に延びる第八筒状壁とを備えるものであって、前記第六筒状壁の外径は、前記第五筒状壁の内径よりも大きく、前記第七筒状壁の外径は、前記第五筒状壁の内径よりも小さく、前記第七筒状壁と、前記肩部と、前記第八筒状壁とによって、前記第五筒状壁によって囲まれる前記収容部の上端部が構成され、前記第八筒状壁によって、前記口部が構成され、
前記蓋体の筒状壁は、前記蓋体の第一頂壁から下方に延びる第九筒状壁と、前記第九筒状壁の下端から下方に延びる第十筒状壁とを備え、前記第九筒状壁の外径は、前記第五筒状壁の内径よりも大きく、前記第十筒状壁の外径は、前記第五筒状壁の内径よりも小さく、前記第十筒状壁によって前記蓋体の筒状壁の開口側が構成され、
前記内蓋は、第二頂壁と、前記第二頂壁から下方に延びる第十一筒状壁とを備えるものであって、前記第十一筒状壁の外径は、前記第十筒状壁の内径よりも小さく、前記第十一筒状壁の内径は、前記第八筒状壁の外径よりも大きく、
前記第八筒状部が、前記第十一筒状部の内側に挿入された状態で、前記内蓋が前記収容部に取り付けれられ、
前記収容部の上端部及び前記内蓋が、前記第五筒状壁の下側の開口から前記第五筒状壁の内側に挿入された状態で、前記第五筒状壁が前記収容部に取り付けられて前記容器本体が構成され、
前記第十筒状壁が、前記第五筒状壁の上側の開口から前記第五筒状壁の内側に挿入された状態で、前記蓋体が前記容器本体に取り付けられる請求項７に記載の飲料容器。
【請求項９】
前記第七筒状壁の外周面には第三螺旋が形成され、前記第五筒状壁の下側の内周面には、前記第三螺旋に螺合させることの可能な第四螺旋が形成され、前記第八筒状壁の外周面には第五螺旋が形成され、
前記第十筒状壁の外周面には、第六螺旋が形成され、前記第五筒状部の上側の内周面には、前記第六螺旋に螺合させることの可能な第七螺旋が形成され、
前記第十一筒状壁の内周面には、前記第五螺旋に螺合させることの可能な第八螺旋が形成され、
前記第八筒状部が、前記第十一筒状部の内側に挿入された状態で、前記第五螺旋と前記第八螺旋とを螺合させることで、前記内蓋が前記収容部に取り付けれられ、
前記収容部の上端部及び前記内蓋が、前記第五筒状壁の下側の開口から前記第五筒状壁の内側に挿入された状態で、前記第三螺旋と前記第四螺旋とを螺合させることで、前記第五筒状壁が前記収容部に取り付けられて前記容器本体が構成され、
前記第十筒状壁が、前記第五筒状壁の上側の開口から前記第五筒状壁の内側に挿入された状態で、前記第六螺旋と前記第七螺旋とを螺合させることで、前記蓋体が前記容器本体に取り付けられる請求項８に記載の飲料容器。
【請求項１０】
前記第六螺旋は、前記蓋体の開口端から３０ｍｍ以上離れた位置に形成される請求項９に記載の飲料容器。
【請求項１１】
前記収容部が備える壁は、外側の壁材と内側の壁材との間が真空とされた二重壁構造を有する請求項７乃至１０のいずれかに記載の飲料容器。
【請求項１２】
前記蓋体が備える壁は、外側の壁材と内側の壁材との間が真空とされた二重壁構造を有する請求項１乃至１１のいずれかに記載の飲料容器。 
【考案の詳細な説明】
【技術分野】
【０００１】
本考案は、蓋体が容器本体に着脱自在に取り付けられる飲料容器に関する。
【背景技術】
【０００２】
従来、蓋体をコップとして兼用可能な飲料容器が普及している。この種の飲料容器では、特許文献１に開示されるように、蓋体の内側に容器本体が挿入された状態で、蓋体が容器本体に取り付けられる。蓋体がコップとして使用される際には、ユーザは、容器本体から蓋体を取り外した後、容器本体内の飲料を蓋体の内側に注ぎ、蓋体の開口側に口を付けて、蓋体に注がれた飲料を飲むことを行なう。
【先行技術文献】
【特許文献】
【０００３】
【特許文献１】実全昭５９−１２０９１７
【考案の概要】
【考案が解決しようとする課題】
【０００４】
ところで近年、新型コロナウィルスが世界的に流行したこと等を背景として、飲料容器等の日用品においても感染症対策を講じる重要性が増している。
【０００５】
これに関して、上述した従来の飲料容器では、蓋体が容器本体に取り付けられた状謡で、蓋体の内側に容器本体が挿入されていることで、蓋体の開口側が露出する（厳密には、開口側を含む蓋体の全体が外側に露出する）。したがって空気中に浮遊する病原体（ウィルス或いは細菌）が、蓋体の開口側の外周面に付着しやすい。このため上述した従来の飲料容器は、ユーザが蓋体の開口側に口を付けることで、ユーザが病原体に感染する可能性が高いものといえる。
【０００６】
本考案は、上記事項に鑑みてなされたものであって、その目的は、空気中に浮遊する病原体が蓋体の開口側に付着しにくいことで、衛生面に優れた飲料容器を提供することにある。
【課題を解決するための手段】
【０００７】
上記目的を達成するため、本考案は、次の項に記載の主題を包含する。
【０００８】
項１．飲料が内部に収容される容器本体と、
前記容器本体に着脱自在に取り付けられる蓋体とを有し、
前記蓋体の筒状壁の開口側が前記容器本体の筒状壁の内側に挿入された状態で、前記蓋体が前記容器本体に取り付けられる飲料容器。
【０００９】
項２．前記容器本体は、底壁と、前記底壁から上方に延びる第一筒状壁と、当該第一筒状壁の上端から上方に延びる第二筒状壁とを備え、前記第二筒状壁の内径は、前記第一筒状壁の内径よりも大きく、
前記蓋体の筒状壁は、前記蓋体の頂壁から下方に延びる第三筒状壁と、前記第三筒状壁の下端から下方に延びる第四筒状壁とを備え、前記第三筒状壁の外径は、前記第二筒状壁の内径よりも大きく、前記第四筒状壁の外径は、前記第一筒状壁の内径と前記第二筒状壁の内径との間の値とされ、前記第四筒状壁によって前記蓋体の筒状壁の開口側が構成され、
前記第四筒状壁が前記第二筒状壁の内側に挿入された状態で、前記蓋体が前記容器本体に取り付けられる項１に記載の飲料容器。
【００１０】
項３．前記第四筒状壁が前記第二筒状壁の内側に挿入された状態で、前記第二筒状壁の内周面に形成された前記第一螺旋と、前記第四筒状壁の外周面に形成された前記第二螺旋とを螺合させることで、前記蓋体が前記容器本体に取り付けられる項２に記載の飲料容器。
【００１１】
項４．前記第二螺旋は、前記蓋体の開口端から３０ｍｍ以上離れた位置に形成される項３に記載の飲料容器。
【００１２】
項５．前記第二筒状壁よりも前記容器本体の径内側に突出する前記第一筒状壁の上端面には、第一パッキンが接合され、  
前記第四筒状壁の下端面には、第二パッキンが接合され、
前記第一パッキンは、前記第一筒状壁の上端面に沿う環状に形成され、前記第二パッキンは、前記第四筒状壁の下端面に沿う環状に形成されており、
前記蓋体が前記容器本体に取り付けられた状態で、前記第一パッキンと前記第二パッキンとが密着する項２乃至４のいずれかに記載の飲料容器。
【００１３】
項６．前記容器本体が備える壁は、外側の壁材と内側の壁材との間が真空とされた二重壁構造を有する項２乃至５のいずれかに記載の飲料容器。
【００１４】
項７．前記容器本体は、飲料が内部に収容される筒状の収容部と、前記収容部の上側に着脱自在に取り付けられる第五筒状壁と、前記収容部の上端部に形成される口部に着脱自在に取り付けられる内蓋とを備え、
前記収容部の上端部が、前記第五筒状壁の下側の開口から前記第五筒状壁の内側に挿入された状態で、前記第五筒状壁が前記収容部に取り付けられ、
前記蓋体の筒状壁の開口側が、前記第五筒状壁の上側の開口から前記第五筒状壁の内側に挿入された状態で、前記蓋体が前記第五筒状壁に取り付けられる項１に記載の飲料容器。
【００１５】
項８．前記収容部は、底壁と、前記底壁から上方に延びる第六筒状壁と、前記第六筒状壁の上端から上方に延びる第七筒状壁と、前記第七筒状壁の上端から内側に延びる環状の肩部と、前記肩部の内端から上方に延びる第八筒状壁とを備えるものであって、前記第六筒状壁の外径は、前記第五筒状壁の内径よりも大きく、前記第七筒状壁の外径は、前記第五筒状壁の内径よりも小さく、前記第七筒状壁と、前記肩部と、前記第八筒状壁とによって、前記第五筒状壁によって囲まれる前記収容部の上端部が構成され、前記第八筒状壁によって、前記口部が構成され、
前記蓋体の筒状壁は、前記蓋体の第一頂壁から下方に延びる第九筒状壁と、前記第九筒状壁の下端から下方に延びる第十筒状壁とを備え、前記第九筒状壁の外径は、前記第五筒状壁の内径よりも大きく、前記第十筒状壁の外径は、前記第五筒状壁の内径よりも小さく、前記第十筒状壁によって前記蓋体の筒状壁の開口側が構成され、
前記内蓋は、第二頂壁と、前記第二頂壁から下方に延びる第十一筒状壁とを備えるものであって、前記第十一筒状壁の外径は、前記第十筒状壁の内径よりも小さく、前記第十一筒状壁の内径は、前記第八筒状壁の外径よりも大きく、
前記第八筒状部が、前記第十一筒状部の内側に挿入された状態で、前記内蓋が前記収容部に取り付けれられ、
前記収容部の上端部及び前記内蓋が、前記第五筒状壁の下側の開口から前記第五筒状壁の内側に挿入された状態で、前記第五筒状壁が前記収容部に取り付けられて前記容器本体が構成され、
前記第十筒状壁が、前記第五筒状壁の上側の開口から前記第五筒状壁の内側に挿入された状態で、前記蓋体が前記容器本体に取り付けられる項７に記載の飲料容器。
【００１６】
項９．前記第七筒状壁の外周面には第三螺旋が形成され、前記第五筒状壁の下側の内周面には、前記第三螺旋に螺合させることの可能な第四螺旋が形成され、前記第八筒状壁の外周面には第五螺旋が形成され、
前記第十筒状壁の外周面には、第六螺旋が形成され、前記第五筒状部の上側の内周面には、前記第六螺旋に螺合させることの可能な第七螺旋が形成され、
前記第十一筒状壁の内周面には、前記第五螺旋に螺合させることの可能な第八螺旋が形成され、
前記第八筒状部が、前記第十一筒状部の内側に挿入された状態で、前記第五螺旋と前記第八螺旋とを螺合させることで、前記内蓋が前記収容部に取り付けれられ、
前記収容部の上端部及び前記内蓋が、前記第五筒状壁の下側の開口から前記第五筒状壁の内側に挿入された状態で、前記第三螺旋と前記第四螺旋とを螺合させることで、前記第五筒状壁が前記収容部に取り付けられて前記容器本体が構成され、
前記第十筒状壁が、前記第五筒状壁の上側の開口から前記第五筒状壁の内側に挿入された状態で、前記第六螺旋と前記第七螺旋とを螺合させることで、前記蓋体が前記容器本体に取り付けられる項８に記載の飲料容器。
【００１７】
項１０．前記第六螺旋は、前記蓋体の開口端から３０ｍｍ以上離れた位置に形成される項９に記載の飲料容器。
【００１８】
項１１．前記収容部が備える壁は、外側の壁材と内側の壁材との間が真空とされた二重壁構造を有する項７乃至１０のいずれかに記載の飲料容器。
【００１９】
項１２．前記蓋体が備える壁は、外側の壁材と内側の壁材との間が真空とされた二重壁構造を有する項１乃至１１のいずれかに記載の飲料容器。
【考案の効果】
【００２０】
本考案の飲料容器によれば、蓋体が容器本体に取り付けられた状態で、蓋体の筒状壁の開口側が、容器本体の筒状壁の内側に位置する。したがって、空気中に浮遊する病原体（ウィルス或いは細菌）が、蓋体の開口側に付着しにくい。このため本考案の飲料容器は、ユーザが蓋体に注がれた飲料を飲むために蓋体の開口側に口を付けても、ユーザが病原体に感染する可能性が低く、衛生面に優れる。
【図面の簡単な説明】
【００２１】
【図１】本考案の実施形態に係る飲料容器の側面図である。
【図２】本考案の実施形態に係る飲料容器の縦断面図である。
【図３】本考案の実施形態に係る飲料容器が備える蓋体が、コップとして使用されるときの状態を示す縦断面図である。
【図４】本考案の変形例に係る飲料容器の縦断面図である。
【図５】本考案の変形例に係る飲料容器の縦断面図である。
【図６】本考案の変形例に係る飲料容器が備える蓋体が、コップとして使用されるときの状態を示す縦断面図である。
【図７】本考案の変形例に係る飲料容器の縦断面図である。
【図８】本考案の変形例に係る飲料容器の側面図である。
【図９】本考案の変形例に係る飲料容器の縦断面図である。
【図１０】本考案の変形例に係る飲料容器の一部の縦断面図である。
【図１１】容器本体から蓋体を取り外し、内蓋を第八筒状壁から取り外した状態を示す縦断面図である。
【図１２】本考案の変形例に係る飲料容器が備える蓋体が、コップとして使用されるときの状態を示す縦断面図である。
【図１３】本考案の変形例に係る飲料容器において、第五筒状壁が収容部から取り外された状態を示す縦断面図である。
【考案を実施するための形態】
【００２２】
以下、本考案の実施形態について図面を参照しつつ説明する。図１は、本考案の実施形態に係る飲料容器１の側面図である。図２は、飲料容器１の縦断面図である。図３は、蓋体３がコップとして使用されるときの状態を示す縦断面図である。
【００２３】
本考案の実施形態に係る飲料容器１は、飲料Ｓ（図２）が内部に収容される容器本体２と、容器本体２に着脱自在に取り付けられる蓋体３とを有しており、容器本体２から取り外した蓋体３をコップとして使用できる。
【００２４】
容器本体２は、有底筒状を呈しており、底壁４と、底壁４から上方に延びる筒状壁５とを備える。底壁４及び筒状壁５は、ステンレス、アルミニウム、チタン、プラスチック、シリコン、或いは合成樹脂から形成される。
【００２５】
筒状壁５は、底壁４の外周縁から上方に延びる第一筒状壁６と、当該第一筒状壁６の上端から上方に延びる第二筒状壁７とを備える。第一筒状壁６及び第二筒状壁７は、それぞれ円筒状を呈する。第二筒状壁７の内径Ｎ７は、第一筒状壁６の内径Ｎ６よりも大きい。第一筒状壁６と第二筒状壁７との境（第一筒状壁６の先端）では、第一筒状壁６の環状の上端面６ａが、第二筒状壁７の内側に突出する。
【００２６】
第二筒状壁７の内周面には第一螺旋８が形成される。第一筒状壁６の上端面６ａには、第一パッキン９が接合される。第一パッキン９は、第一筒状壁６の上端面６ａに沿う環状体であり、ゴム等から製造される。
【００２７】
蓋体３は、有頂筒状を呈しており、頂壁１０と、頂壁１０から下方に延びる筒状壁１１とを備える。蓋体３は、筒状壁１１の開口側（後述の第四筒状壁１３）が、容器本体２の筒状壁５の内側に挿入された状態で、容器本体２に取り付けられる。
【００２８】
頂壁１０及び筒状壁１１は、ステンレス、アルミニウム、チタン、プラスチック、シリコン、或いは合成樹脂から形成される。蓋体３の壁（頂壁１０及び筒状壁１１）の材料は、容器本体２の壁（底壁４及び筒状壁５）の材料と、同一であってもよく、異なっていてもよい。
【００２９】
筒状壁１１は、頂壁１０の外周縁から下方に延びる第三筒状壁１２と、第三筒状壁１２の下端から下方に延びる第四筒状壁１３とを備えており、上記の「筒状壁１１の開口側」は、第四筒状壁１３によって構成される。第三筒状壁１２及び第四筒状壁１３は、それぞれ円筒状を呈する。第三筒状壁１２の外径Ｇ１２（図３）は、第二筒状壁７の内径Ｎ７（図２）よりも大きい。第四筒状壁１３の外径Ｇ１３（図３）は、第一筒状壁６の内径Ｎ６（図２）と第二筒状壁７の内径Ｎ７（図２）との間の値とされる。第三筒状壁１２と第四筒状壁１３との境（第三筒状壁１２の先端）では、第三筒状壁１２の環状の下端面１２ａが、第四筒状壁１３の外側に突出する。
【００３０】
第四筒状壁１３の外周面には、第二螺旋１４が形成されており、第二筒状壁７の内側に第四筒状壁１３を挿入することで、第二螺旋１４を第一螺旋８に螺合させることができる。
【００３１】
第四筒状壁１３の環状の下端面１３ａには、第二パッキン１５が接合される。第二パッキン１５は、第四筒状壁１３の下端面１３ａに沿う環状体であり、ゴム等から製造される。
【００３２】
蓋体３を容器本体２に取り付ける際には、筒状壁１１の開口側を、容器本体２の筒状壁５の内側に挿入して（具体的には、筒状壁１１の開口側をなす第四筒状壁１３を、筒状壁５の開口側をなす第二筒状壁７の内側に挿入して）、蓋体３を容器本体２に対して回転させることで第一螺旋８と第二螺旋１４とを螺合させる作業が行なわれる。この作業により、筒状壁１１の開口側が筒状壁５の内側に挿入された状態で（具体的には、第四筒状壁１３が第二筒状壁７の内側に挿入された状態で）、蓋体３が容器本体２に取り付けられて、第一パッキン９と第二パッキン１５とが密着する。
【００３３】
蓋体３をコップとして使用する際には、螺旋８，１４の螺合を解除する方向に蓋体３を回転させながら、筒状壁１１の開口側を筒状壁５の内側から抜き出すことで（具体的には、第四筒状壁１３を第二筒状壁７の内側から抜き出すことで）、容器本体２から蓋体３を取り外すことが行なわれる。この後、ユーザは、容器本体２内の飲料Ｓを蓋体３の内側（筒状壁１１の内側）に注いで、筒状壁１１の開口側（第四筒状壁１３）に口を付けて蓋体３内の飲料Ｓを飲むことを行なう。
【００３４】
本実施形態の飲料容器１によれば、蓋体３が容器本体２に取り付けられた状態で、蓋体３の筒状壁１１の開口側（第四筒状壁１３）が、容器本体２の筒状壁５の内側に位置する（図２）。したがって、空気中に浮遊する病原体（ウィルス或いは細菌）が、筒状壁１１の開口側（第四筒状壁１３）に付着しにくい。このため本実施形態の飲料容器１は、ユーザが、蓋体３内に注がれた飲料Ｓを飲む際に、筒状壁１１の開口側（第四筒状壁１３）に口を付けても、ユーザが病原体に感染する可能性が低く、衛生面に優れる。
【００３５】
また本実施形態の飲料容器１によれば、蓋体３が容器本体２に取り付けられた状態で、第一パッキン９と第二パッキン１５とが密着する。このため、容器本体２内に収容された飲料Ｓが、容器本体２と蓋体３との間から漏れることが防止される。
【００３６】
なお本実施形態の飲料容器１では、病原体（ウィルス或いは細菌）が容器本体２と蓋体３との間に侵入することを防止し、また容器本体２内の飲料Ｓが漏れることをより確実に防止するために、蓋体３を容器本体２に取り付けた状態で、第二筒状壁７の環状の先端面７ａと第三筒状壁１２の環状の下端面１２ａとが密着することが好ましい。
【００３７】
また本実施形態の飲料容器１では、ユーザが筒状壁１１の開口側（第四筒状壁１３）に口を付けた際の感触を良好なものとするために、第二螺旋１４がユーザの口に当らないようにすることが好ましい。この観点から、筒状壁１１の開口端から３０ｍｍ以上離れた位置に第二螺旋１４を形成することが好ましい（すなわち図３に示す高さＨ１４を３０ｍｍ以上とすることが好ましい）。
【００３８】
また飲料容器１の外観を良好にする観点から、第一筒状壁６の外径Ｇ６（図２）と、第二筒状壁７の外径Ｇ７（図２）と、第三筒状壁１２の外径Ｇ１２（図３）とを一致させることが好ましい。このようにすれば、蓋体３が容器本体２に取り付けられた状態で、容器本体２の外周面（第一筒状壁６の外周面及び第二筒状壁７の外周面）と、蓋体３の外周面（第三筒状壁１２の外周面）とが面一になるので、飲料容器１の外観を良好にすることができる。
【００３９】
また第四筒状壁１３の下端面１３ａに接合した第二パッキン１５の全幅を、第一筒状壁６の上端面６ａに接合した第一パッキン９に密着させる観点から、第四筒状壁１３の内径Ｎ１３（図３）を、第一筒状壁６の内径Ｎ６（図２）に一致させることが好ましい。
【００４０】
また上述した飲料容器１は、図４，図５，図７に示すように変形され得る。以下、図４，図５，図７に示す飲料容器２０，３０，４０が、上述した飲料容器１と相違する点について説明する。
【００４１】
図４に示す飲料容器２０では、容器本体２の壁（底壁４及び筒状壁５）が、外側の壁材２１と内側の壁材２２との間の空間２３が真空とされた二重壁構造を有するものとされる。図４に示す飲料容器２０によれば、容器本体２が断熱性に優れたものとなるので、容器本体２内の飲料Ｓの温度が、外気によって変化することを抑制できる（特に、低温の外気によって、容器本体２内の飲料Ｓの温度が下がることを抑制できる）。
【００４２】
図５に示す飲料容器３０では、蓋体３の壁（頂壁１０及び筒状壁１１）が、外側の壁材３１と内側の壁材３２との間の空間３３が真空とされた二重壁構造を有するものとされる。図５に示す飲料容器３０によれば、蓋体３が断熱性に優れたものとなるので、図６に示すように蓋体３がコップとして使用されて、蓋体３内に注がれる飲料Ｓが高温である場合に、蓋体３を持つユーザの手に伝わる熱の温度を低くすることができる。
【００４３】
図７に示す飲料容器４０では、容器本体２の壁（底壁４及び筒状壁５）が、外側の壁材２１と内側の壁材２２との間の空間２３が真空とされた二重壁構造を有し、且つ、蓋体３の壁（頂壁１０及び筒状壁１１）も、外側の壁材３１と内側の壁材３２との間３３が真空とされた二重壁構造を有するものとされる。図７に示す飲料容器４０によれば、上述した「容器本体２内の飲料Ｓの温度が、外気によって変化することを抑制すること」と、「蓋体３を持つユーザの手に伝わる熱の温度を低くすること」との双方を享受できる。
【００４４】
なお、容器本体２の壁（底壁４及び筒状壁５）や蓋体３の壁（頂壁１０及び筒状壁１１）を二重壁構造にすることは、「外側の壁材と内側の壁材とによって閉じられた空間を排気孔から排気した後に、排気孔を封止する方法」など、公知の方法によって実現される。
【００４５】
また上述した飲料容器１，２０，３０，４０では、第一螺旋８と第二螺旋１４とを螺合させることが可能な限りにおいて、螺旋８，１４の形成位置は、適宜調整され得る。
【００４６】
また上述した飲料容器１，２０，３０，４０では、螺旋８，１４は必ずしも形成されなくてもよく、螺旋８，１４以外の手段によって、蓋体３を容器本体２に取り付けてもよい。例えば、筒状壁５の開口側（第二筒状壁７）の内周面と筒状壁１１の開口側（第四筒状壁１３）の外周面との摩擦によって蓋体３を容器本体２に取り付けてもよい。
【００４７】
また上述した飲料容器１，２０，３０，４０では、筒状壁５の内径と、筒状壁１１の外径とを、それぞれ一定の値としてもよい。この場合でも、例えば、筒状壁５の内周面に形成した螺旋と筒状壁１１の外周面に形成した螺旋とを螺合させることや、筒状壁５の内周面と筒状壁１１の外周面との摩擦によって、蓋体３を容器本体２に取り付けることが可能である。
【００４８】
また上述した飲料容器１，２０，３０，４０では、蓋体３が容器本体２に取り付けられた状態で、筒状壁１１の全体が筒状壁５の内側に挿入されるようにしてもよい（本考案で「蓋体の筒状壁の開口側を、容器本体の筒状壁の内側に挿入すること」には、蓋体の筒体の全体を容器本体の筒状壁の内側に挿入する場合も含まれる）。上記の場合には、頂壁１０の外径が筒状壁５の内径よりも大きくされて、蓋体３が容器本体２に取り付けられた状態で、蓋体３は、筒状壁１１の全体が筒状壁５の内側に挿入され、頂壁１０のみが筒状壁５の外側に出るものとされる。なおこの場合には、病原体（ウィルス或いは細菌）が筒状壁５と筒状壁１１との間に侵入することを防止するために、蓋体３が容器本体２に取り付けられた状態で、頂壁１０の外周縁が筒状壁５の上端面に密着することが好ましい。
【００４９】
また本考案の飲料容器は、図８及び図９に示すように変形され得る（図８は、変形例に係る飲料容器５０の側面図であり、図９は、図８に示す飲料容器５０の縦断面図である）。
【００５０】
図８及び図９に示す飲料容器５０は、容器本体５１と、容器本体５１に着脱自在に取り付けられる蓋体８０とを有しており、容器本体５１から取り外した蓋体８０をコップとして使用できる（図１２は、蓋体８０がコップとして使用されるときの状態を示す）。
【００５１】
容器本体５１は、飲料Ｓが内部に収容される筒状の収容部５２と、収容部５２の上側に着脱自在に取り付けられる第五筒状壁５３と、収容部５２の口部５９に着脱自在に取り付けられる内蓋５４とを備えており、口部５９は、第五筒状壁５３によって囲まれる収容部５２の上端部に形成される。収容部５２、第五筒状壁５３、及び内蓋５４は、それぞれステンレス、アルミニウム、チタン、プラスチック、シリコン、或いは合成樹脂から形成される。
【００５２】
収容部５２は、有底筒状を呈するものであって、底壁５５と、底壁５５の外周縁から上方に延びる第六筒状壁５６と、第六筒状壁５６の上端から上方に延びる第七筒状壁５７と、第七筒状壁５７の上端から内側に延びる環状の肩部５８と、肩部５８の内周縁から上方に延びる第八筒状壁５９とを備える。上記の第五筒状壁５３によって囲まれる収容部５２の上端部は、第七筒状壁５７と、肩部５８と、第八筒状壁５９とによって構成される。上記の収容部５２の口部は、第八筒状壁５９によって構成される。
【００５３】
第六筒状壁５６と、第七筒状壁５７と、第八筒状壁５９とは、それそれ円筒状を呈する。第六筒状壁５６の外径Ｇ５６（図１０）は、第五筒状壁５３の内径Ｎ５３よりも大きい。第七筒状壁５７の外径Ｇ５７は、第五筒状壁５３の内径Ｎ５３よりも小さい。第六筒状壁５６と第七筒状壁５７との境（第六筒状壁５６の上端）では、第六筒状壁５６の環状の上端面５６ａが、第七筒状壁５７の外側に突出する。第七筒状壁５７の外周面には第三螺旋６０が形成される。第五筒状壁５３の下側の内周面には、第三螺旋６０に螺合させることの可能な第四螺旋６１が形成される。第八筒状壁５９の外周面には第五螺旋６２が形成される。
【００５４】
蓋体８０は、有頂筒状を呈しており、第一頂壁６３と、第一頂壁６３から下方に延びる筒状壁５５とを備える。第一頂壁６３及び筒状壁５５は、それぞれステンレス、アルミニウム、チタン、プラスチック、シリコン、或いは合成樹脂から形成される。
【００５５】
筒状壁５５は、第一頂壁６３の外周縁から下方に延びる第九筒状壁６４と、第九筒状壁６４の下端から下方に延びる第十筒状壁６５とを備えており、筒状壁５５の開口側は、第十筒状壁６５によって構成される。
【００５６】
第九筒状壁６４と、第十筒状壁６５とは、それぞれ円筒状を呈する。第九筒状壁６４の外径Ｇ６４は、第五筒状壁５３の内径Ｎ５３よりも大きい。第十筒状壁６５の外径Ｇ６５は、第五筒状壁５３の内径Ｎ５３よりも小さい。第九筒状壁６４と第十筒状壁６５との境（第九筒状壁６４の下端）では、第九筒状壁６４の環状の下端面６４ａが、第十筒状壁６５の外側に突出する。第十筒状壁６５の外周面には、第六螺旋６６が形成される。第五筒状壁５３の上側の内周面には、第六螺旋６６に螺合させることの可能な第七螺旋６７が形成される。
【００５７】
内蓋５４は、有頂筒状を呈しており、第二頂壁６８と、第二頂壁６８の外周縁から下方に延びる円筒状の第十一筒状壁６９とを備える。第十一筒状壁６９の外径Ｇ６９は、第十筒状壁６５の内径Ｎ６５よりも小さい。第十一筒状壁６９の内径は、第八筒状壁５９の外径よりも大きい。第十一筒状壁６９の内周面には、第五螺旋６２に螺合させることの可能な第八螺旋７０が形成される。
【００５８】
以上の構成を有する飲料容器５０は、収容部５２の口部をなす第八筒状壁５９が、第十一筒状壁６９の内側に挿入された状態で、内蓋５４を収容部５２に対して回転させて第五螺旋６２と第八螺旋７０とを螺合させることで、内蓋５４が第八筒状壁５９に取り付けれられる。
【００５９】
そして収容部５２の上端部（第七筒状壁５７、肩部５８、及び第八筒状壁５９）及び内蓋５４が、第五筒状壁５３の下側の開口から第五筒状壁５３の内側に挿入された状態で、第五筒状壁５３を収容部５２に対して回転させて第三螺旋６０と第四螺旋６１とを螺合させることで、第五筒状壁５３が収容部５２の第七筒状壁５７に取り付けられて、容器本体５１が構成される。
【００６０】
そして蓋体８０の筒状壁５５の開口側をなす第十筒状壁６５が、第五筒状壁５３の上側の開口から第五筒状壁５３の内側に挿入された状態で、蓋体８０を容器本体５１に対して回転させて第六螺旋６６と第七螺旋６７とを螺合させることで、蓋体８０が容器本体５１に取り付けられる。
【００６１】
蓋体８０をコップとして使用する際には、螺旋６６，６７の螺合を解除する方向に蓋体８０を回転させながら、筒状壁５５の開口側（第十筒状壁６５）を第五筒状壁５３の内側から抜き出すことで、容器本体５１から蓋体８０を取り外すことが行なわれる（図１１）。ついで、螺旋６２，７０の螺合を解除する方向に内蓋体５４を回転させて、内蓋５４を第八筒状壁５９から取り外すことが行なわれる。この後、ユーザは、収容部５２内の飲料Ｓを蓋体８０の内側（筒状壁５５の内側）に注いで、筒状壁５５の開口側（第十筒状壁６５）に口を付けて蓋体８０内の飲料Ｓを飲むことを行なう。
【００６２】
また第五筒状壁５３を洗浄する際などには、容器本体５１から蓋体８０が取り外された状態で、螺旋６０，６１の螺合を解除する方向に第五筒状壁５３を回転させることで、第五筒状壁５３を収容部５２から取り外すことが行なわれる（図１３）。
【００６３】
上述した飲料容器５０によれば、蓋体８０が容器本体５１に取り付けられた状態で、蓋体８０の筒状壁５５の開口側（第十筒状壁６５）が、容器本体５１の第五筒状壁５３の内側に位置する（図９，図１０）。したがって、空気中に浮遊する病原体（ウィルス或いは細菌）が、筒状壁５５の開口側（第十筒状壁６５）に付着しにくい。このため本実施形態の飲料容器５０は、ユーザが、蓋体８０内に注がれた飲料Ｓを飲む際に、筒状壁５５の開口側（第十筒状壁６５）に口を付けても、ユーザが病原体に感染する可能性が低く、衛生面に優れる。
【００６４】
なお上述した飲料容器５０では、病原体（ウィルス或いは細菌）が、第五筒状壁５３と蓋体６３との間や、第五筒状壁５３と第七筒状壁５７との間に侵入することを防止するために、蓋体８０が容器本体５１に取り付けられた状態で、第九筒状壁６４の環状の下端面６４ａと第五筒状壁５３の環状の上端面５３ａとが密着し、第六筒状壁５６の環状の上端面５６ａと第五筒状壁５３の環状の下端面５３ｂとが密着することが好しい。
【００６５】
また飲料容器５０では、ユーザが筒状壁５５の開口側（第十筒状壁６５）に口を付けた際の感触を良好なものとするために、第六螺旋６６がユーザの口に当らないようにすることが好ましい。この観点から、蓋体８０の開口端から３０ｍｍ以上離れた位置に第六螺旋６６を形成することが好ましい（すなわち図１２に示す高さＨ６６を３０ｍｍ以上とすることが好ましい）。また上記の位置に第六螺旋６６を形成すべく第十筒状壁６５をできるだけ長くするために、蓋体８０が容器本体５１に取り付けられた状態で、第五筒状壁５３のと第七筒状壁５７との間に第十筒状壁６５が挿入されることが好ましい（図９，図１０では、第五筒状壁５３のと第七筒状壁５７との間に第十筒状壁６５の下端部が挿入される例を示している）。なお第五筒状壁５３のと第七筒状壁５７との間に第十筒状壁６５を挿入するためには、第十筒状壁６５の外径Ｇ６５を第五筒状壁５３の内径Ｎ５３よりも小さく、第十筒状壁６５の内径Ｎ６５を第七筒状壁５７の外径Ｎ５７よりも大きくする必要がある。
【００６６】
また飲料容器５０の外観を良好にする観点から、第五筒状壁５３の外径Ｇ５３と、第六筒状壁５６の外径Ｇ５６と、第九筒状壁６４の外径Ｇ６４とを一致させることが好ましい。このようにすれば、蓋体８０が容器本体５１に取り付けられた状態で、容器本体５１の外周面（第五筒状壁５３の外周面及び第六筒状壁５６の外周面）と、蓋体８０の外周面（第九筒状壁６４の外周面）とが面一になるので、飲料容器５０の外観を良好にすることができる。
【００６７】
また飲料容器５０では、収容部５２の壁が、外側の壁材と内側の壁材との間の空間が真空とされた二重壁構造を有するものとされてもよい。また、蓋体８０の壁が、外側の壁材と内側の壁材との間の空間が真空とされた二重壁構造を有するものとされてもよい。また、収容部５２の壁と蓋体８０の壁との双方が、外側の壁材と内側の壁材との間が真空とされた二重壁構造を有するものとされてもよい。
【００６８】
また上述した飲料容器５０では、螺旋６２，７０以外の公知の手段によって、内蓋５４が収容部５２に取り付けれられてもよい。例えば、第十一筒状部６９の内周面と第八筒状部５９の外周面との摩擦によって、内蓋５４が収容部５２に取り付けれられてもよい。
【００６９】
また螺旋６０，６１以外の公知の手段によって、第五筒状壁５３が収容部５２に取り付けられてもよい。例えば、第五筒状壁５３の内周面と第七筒状壁５７の外周面との摩擦によって、第五筒状壁５３が収容部５２に取り付けられてもよい。
【００７０】
また、螺旋６６，６７以外の公知の手段によって、蓋体８０が容器本体５１に取り付けられてもよい。例えば、第五筒状壁５３の内周面と第十筒状壁６５の外周面との摩擦によって、蓋体８０が容器本体５１に取り付けられてもよい。
【００７１】
また上述した飲料容器５０では、蓋体８０の筒状壁５５の内径と、収容部５２の筒状壁の外径とを、それぞれ一定の値としてもよい。
【００７２】
また上述した飲料容器５０では、蓋体８０が容器本体５１に取り付けられた状態で、蓋体８０の筒状壁５５の全体が第五筒状壁５３の内側に挿入されてもよい。この場合には、第一頂壁６３の外径が第五筒状壁５３の内径よりも大きくされて、蓋体８０が容器本体５１に取り付けられた状態で、第一頂壁６３が第五筒状壁５３の外側に出るものとされる。なおこの場合には、病原体（ウィルス或いは細菌）が第五筒状壁５３と筒状壁５５との間に侵入することを防止するために、蓋体８０が容器本体５１に取り付けられた状態で、第一頂壁６３の外周縁が第五筒状壁５３の上端面５３ａに密着することが好ましい。
【符号の説明】
【００７３】
１，３０，４０，５０  飲料容器
２，５１  容器本体
３，８０  蓋体
４  容器本体の底壁
５，５２，５３  容器本体の筒状壁
６  第一筒状壁
６ａ  第一筒状壁の先端面
７  第二筒状壁
８  第一螺旋
９  第一パッキン
１０  蓋体の頂壁
１１，５５  蓋体の筒状壁
１２  第三筒状壁
１３  第四筒状壁
１３ａ  第四筒状壁の先端面
１４  第二螺旋
１５  第二パッキン
２１  容器本体の外側の壁材
２２  容器本体の内側の壁材
２３  容器本体の外側の壁材と内側の壁材との間の空間
３１  蓋体の外側の壁材
３２  蓋体の内側の壁材
３３  蓋体の外側の壁材と内側の壁材との間の空間
５２  収容部
５３  第五筒状壁
５４  内蓋
５５  収容部の底壁
５６  第六筒状壁
５７  第七筒状壁
５８  肩部
５９  口部、第八筒状壁
６０  第三螺旋
６１  第四螺旋
６２  第五螺旋
６３  蓋体の第一頂壁
６４  第九筒状壁
６５  第十筒状壁
６６  第六螺旋
６７  第七螺旋
６８  内蓋の第二頂壁
６９  第十一筒状壁
７０  第八螺旋
Ｇ１２  第三筒状壁の外径
Ｇ１３  第四筒状壁の外径
Ｇ５６  第六筒状壁の外径
Ｇ５７  第七筒状壁の外径
Ｇ６４  第九筒状壁の外径
Ｇ６５  第十筒状壁の外径
Ｇ６９  第十一筒状壁の外径
Ｎ７  第二筒状壁の内径
Ｎ６  第一筒状壁の内径
Ｎ７  第二筒状壁の内径
Ｎ５３  第五筒状壁の内径
Ｎ６５  第十筒状壁の内径
Ｓ  飲料
【図１】
0003230771.tif 000003
【図２】
0003230771.tif 000004
【図３】
0003230771.tif 000005
【図４】
0003230771.tif 000006
【図５】
0003230771.tif 000007
【図６】
0003230771.tif 000008
【図７】
0003230771.tif 000009
【図８】
0003230771.tif 000010
【図９】
0003230771.tif 000011
【図１０】
0003230771.tif 000012
【図１１】
0003230771.tif 000013
【図１２】
0003230771.tif 000014
【図１３】
0003230771.tif 000015